(57)【特許請求の範囲】
【請求項１】
二つのフードでリール脚を保持するとともに少なくとも一方を可動フードに構成しその可動フードを他方のフードに対して竿先側に配置し、
前記可動フードは、竿軸芯を挟んで１８０°対角位置に、前記リール脚の一方を挿入し押さえつけ固定するためのリール脚挿入部と、リールシートを握り操作をする場合に手指の親指が載置される部分である親指載置部とが形成されるとともに、前記親指載置部の前記他方のフードに対向する一端を、前記リール脚挿入部の前記他方のフードに対向する開口端より、前記他方のフード側に向けて突出するように構成し、
前記親指載置部から前記リール脚挿入部に掛けての開口縁は、前記親指載置部に対応する部分から前記リール脚挿入部に対応する部分に掛けて徐々に、突出量を減少させるように構成され、
前記可動フードを装着しているシートベースは、竿先側に小径状部分が、竿尻側に大径状部分が配置され、前記大径状部分における前記リール脚の他方を載置するためのリール脚載置部に対して竿軸芯を挟んで反対側に位置する部分が、径方向の外方に突出する膨出部分に形成され、前記大径状部分の両横側面は、円弧状の断面の一部を削り取った面であり、前記竿軸芯に沿った方向において、竿先側部分と竿尻側部分との中間位置に向けて徐々に凹入しているスピニングリール取付用のリールシート。
【請求項２】
前記シートベースには、前記可動フードを装着するための前記可動フード取付座が形成されるとともに、前記可動フード取付座に取付られた前記可動フードの親指載置部の端面と、前記シートベースの前記大径状部分の端面とを密着当接する状態で配置し、前記親指載置部の外周面と前記大径状部分の外周面とを、前記密着当接する状態で面一状態となるように形成してある請求項１記載のスピニングリール取付用のリールシート。
【請求項３】
前記可動フードを前記シートベースの軸線方向に駆動移動させるナット部材を、前記可動フードに連結される雌ネジ部材とこの雌ネジ部材をシートベースの軸芯周りで回転駆動させる摘まみ操作部とで構成してある請求項１又は２に記載のスピニングリール取付用のリールシート。
【発明の詳細な説明】
【技術分野】
【０００１】
本発明は、可動フードをシートベースに取付けてあるスピニングリール取付用のリールシートに関する。
【背景技術】
【０００２】
前記可動フードに竿軸芯を挟んで１８０°対角位置にリール脚挿入部と親指載置部とを形成するとともに、前記親指載置部の前記他方のフードに対向する一端と、前記リール脚挿入部の前記他方のフードに対向する開口端とを、竿の軸線方向において同一位置に位置するように、可動フードの開口端が形成されていた（特許文献１参照）。
【０００３】
【特許文献１】実開平５−３１５６７号公報（図１）
【発明の開示】
【発明が解決しようとする課題】
【０００４】
上記構成の場合には、他方のフード側から掌を当て付けてリール脚を薬指と中指とで挟む込む状態でリールシートに取り付けたリール脚を竿とともに握り込み釣り操作を行う場合に、親指が丁度可動フードの親指載置部の一端に掛かるために、釣り操作を長く続けると親指が強く圧迫されて痛くなる等の竿を握る手に違和感を感じることがあった。
【０００５】
本発明の目的は、可動フードの他のフードに対向する開口端に工夫を凝らすことによって、釣り竿を握る際の違和感を回避できるリールシートを提供する点にある。
【課題を解決するための手段】
【０００６】
〔構成〕
請求項１に係る発明の特徴構成は、二つのフードでリール脚を保持するとともに少なくとも一方を可動フードに構成しその可動フードを他方のフードに対して竿先側に配置し、前記可動フードは、竿軸芯を挟んで１８０°対角位置に、前記リール脚の一方を挿入し押さえつけ固定するためのリール脚挿入部と、リールシートを握り操作をする場合に手指の親指が載置される部分である親指載置部とが形成されるとともに、前記親指載置部の前記他方のフードに対向する一端を、前記リール脚挿入部の前記他方のフードに対向する開口端より、他方のフード側に向けて突出するように構成し、親指載置部からリール脚挿入部に掛けての開口縁は、親指載置部に対応する部分からリール脚挿入部に対応する部分に掛けて徐々に、突出量を減少させるように構成され、前記可動フードを装着しているシートベースは、竿先側に小径状部分が、竿尻側に大径状部分が配置され、前記大径状部分における前記リール脚の他方を載置するためのリール脚載置部に対して竿軸芯を挟んで反対側に位置する部分が、径方向の外方に突出する膨出部分に形成され、前記大径状部分の両横側面は、円弧状の断面の一部を削り取った面であり、前記竿軸芯に沿った方向において、竿先側部分と竿尻側部分との中間位置に向けて徐々に凹入しているスピニングリール取付用のリールシート。
【０００７】
〔作用〕
リール脚挿入部分の開口端に比べて親指載置部の一端を竿尻端側に突出させる構成によって、親指載置部の一端を親指の基端部側に寄せることができ、これによって、可動フードに当てがわれる親指は、親指載置部の一端に掛かることが少なく、痛みを感じることは少ない。
しかも、可動フードのリール脚挿入部分の開口端は親指載置部の一端程、他方のフード側に突出させる必要はないので、可動フードと他方のフードとの間隔はリール脚を保持するに十分な間隔を維持でき、可動フードの機能を損なうことが少ない。
【０００８】
〔効果〕
リールの保持機能を十分に生かしながら、釣り竿を握る手の違和感を少なくでき、安定した手返し操作を長期に亘って快適に行えるようになった。
【００１０】
〔作用効果〕
リールシートを握る手の掌は、リールシートにおけるリール脚載置部とは竿軸芯を挟んで反対側に位置する部分にあてがわれる。そして、この掌があてがわれる部分が、径方向の外方に突出位置する膨出部に構成されているので、手の掌がその膨出部に係止されて竿軸線方向に動きにくく、釣り竿を持つ手が安定する。これによって、竿を保持したり手返し操作をすることが容易迅速に行えるようになる。
【００１１】
請求項２に係る発明の特徴構成は、請求項１に係る発明において、前記シートベースに前記可動フード取付座を形成するとともに、前記可動フード取付座に取付られた前記可動フードの親指載置部の端面と、前記シートベースの前記大径状部分の端面とを密着当接する状態で配置し、前記親指載置部の外周面と前記大径状部分の外周面とを、前記密着当接する状態で面一状態となるように形成してある点にあり、その作用効果は次の通りである。
【００１２】
〔作用効果〕
前記可動フードの親指載置部の端面と、前記シートベースの前記膨出部分の端面とを密着当接する状態で配置してあるので、手の掌部分がこの境界面にあてがわれても、段差を感じる事が少なく、違和感なくリールシートを握ることができる。
しかも、前記親指載置部の外周面と前記膨出部分の外周面とが面一状態で配置されているので、リール脚のサイズによって、前記密着すべき部分に間隙ができた場合にも、段差を感じることなく握り操作ができるので、握る場合の違和感を最小限に抑えることができる。
【００１３】
請求項３に係る発明の特徴構成は、請求項１又は２に係る発明において、前記可動フードを前記シートベースの軸線方向に駆動移動させるナット部材を、前記可動フードに連結される雌ネジ部材とこの雌ネジ部材をシートベースの軸芯周りで回転駆動させる摘まみ操作部とで構成してある点にあり、その作用効果は次の通りである。
【００１４】
〔作用効果〕
ナット部材を二部材で構成することによって、雌ネジを備えた部分とその雌ネジを備えた部分を駆動する操作部とを別個の部材で構成できる。つまり、雌ネジ部を備える雌ネジ部材においては、ネジ部を構成するだけで強度のある部材で構成することができ、摘まみ操作部においては、摘まみ易い材料等夫々の機能に応じた部材が選択でき、それに応じた製作加工も採れる。
しかも、雌ネジ部材には可動フードとの連結構造を必要とするところから、このような特別の構造を雌ネジ部材だけを利用して構築することができ、製作上の容易さを享受できる。
【発明を実施するための最良の形態】
【００１５】
釣り竿のリールシートＡの構造について説明する。
図１及び図３に示すように、可動フード１と他方のフードとしての固定フード２と、両フード１，２を装備するシートベース３とを備えてリールシートＡを構成する。リールシートＡの竿尻側にはリアグリップ４が設けてあり、釣り竿の手元側操作部が形成してある。シートベース３の竿尻側部分に固定フード２を一体形成するとともに、シートベース３の竿先側に可動フード取付座３Ａを形成し、可動フード１を装着してある。
【００１６】
リールシートＡの装着構造を詳述する。図１〜図４に示すように、竿素材５の所定位置に、シートベース３より軸芯長の長いベースパイプ６を外嵌装着するとともに、ベースパイプ６の軸線方向の両端がはみ出す状態でそのベースパイプ６の中間部にシートベース３を外嵌装着してある。シートベース３に装着された可動フード１の竿先側に可動フード１を移動させるナット部材７を設けてある。ナット部材７は、シートベース３に形成した雄ネジ部３Ｂに螺合する雌ネジ部を有する筒状の雌ネジ部材７Ａとその雌ネジ部材７Ａに外嵌固定される摘まみ操作部７Ｂとで構成してある。
【００１７】
竿素材５について説明する。図示してはいないが、炭素繊維等の強化繊維を一方向に引き揃えたものに、エポキシ等の熱硬化性樹脂を含浸させてシート状のプリプレグを形成する。このシート状のプリプレグを複数枚マンドレルに巻回し、成形テープで被覆した後に焼成し、焼成後成形テープを剥がし、研磨行程を経て所定長さに裁断して、竿素材５を形成する。
【００１８】
シートベース３の構成について説明する。図１〜図４に示すように、竿先側に小径状部分３Ｃを配置し、竿尻側に大径状部分３Ｄを配置し、軸芯位置に竿素材５とベースパイプ６とを貫通させる貫通孔３Ｅが形成されている。小径状部分３Ｃには、前記した雄ネジ部３Ｂが形成されており、雄ネジ部３Ｂは、小径状部分３Ｃの外周方向における略２００度に亘る範囲で刻設されており、両横側面には前記雄ネジ部３Ｂを切断する状態で、軸線Ｘに平行なガイド溝３ａ,３ａが形成されている。
【００１９】
小径状部分３Ｃに形成された雄ネジ部３Ｂと大径状部分３Ｄとの間には、可動フード１をスライド移動自在に支持する可動フード取付座３Ａを形成し、可動フード取付座３Ａは、雄ネジ部３Ｂの外径と略同様の外径を呈する受面３ｂと、大径状部分３Ｄとの境界壁部分に設けられている段差状受面３ｃと、境界壁の上端部分に形成してある可動フード１の密着当接面３ｄとを備えている。
【００２０】
図２〜図４に示すように、雄ネジ部３Ｂを形成した面とは、軸芯を挟んで反対側には、固定フード２まで達する平坦面が形成してあり、平坦面における左右中心位置に円弧状の僅かな盛り上がりがあり、この盛り上がりでリール脚８を載置するリール脚載置部３Ｆを形成してある。リール脚載置部３Ｆの竿軸線方向における中間部に形成してある楕円状の凹み３ｅは、リール脚８の載置状態を安定させるための機構である。
【００２１】
図２及び図３に示すように、大径状部分３Ｄにおける竿軸芯を挟んでリール脚載置部３Ｆとは反対側に形成される膨出部分３Ｇは、円弧状の断面を維持しながら、竿尻端部分からリール脚載置部３Ｆの中心位置に対応する位置まで徐々に外向きに張出す状態に形成してあり、この位置より可動フード取付座３Ａに達するまで徐々に張出し量を少なくすることとしてある。これによって、リール脚載置部３Ｆの反対側が最も張出し量の大きな部分ａとなっている。
【００２２】
上記のような構成によって、次ぎのようなことが言える。つまり、リール載置部３Ｆにリールを取り付けて、釣り操作を行う為に、図１に示す状態で、釣り竿とリール脚８とを手指で握った場合に、手の掌の部分がこの張出し部分ａに当接するので、手が滑り難く、手返しよく竿操作を行うことができる。
【００２３】
図２及び図３に示すように、大径状部分３Ｄの両横側面３ｆ，３ｆは、円弧状の断面の一部を削り取った壁面になっており、両横側面３ｆ，３ｆの間隔を、円弧状断面の場合より小さくなるようにしてある。両横側面３ｆ，３ｆは、竿軸芯に沿った方向においても、竿先側部分と竿尻側部分との中間位置に向けて徐々に凹入して、両横側面３ｆ，３ｆ間の間隔が最小となる部分ｃに形成してある。
【００２４】
このように、大径状部分３Ｄの両横側面３ｆ，３ｆ間の間隔が小さくなっており、しかも、竿先側部分と竿尻側部分との中間位置に向けて、徐々に、凹入しているので、手指をまわして握り易く、その状態も安定する。
したがって、上記した膨出部分３Ｇの張出し構造との協働によって、リールと釣り竿とを伴握りする際の握り状態が安定し、釣り操作が円滑に行える。
【００２５】
以上のような構成を有するシートベース３は、ポリアミド樹脂（ＰＡ６）を材料として成形されるものであるが、ＰＥＴ等の他のエンジニアリング樹脂を使用してもよい。また、高い強度を必要とする場合には、軽量のアルミニュウム、チタン等が使用できる。
【００２６】
可動フード１の構成について説明する。図２〜図５に示すように、竿先側の先端に鍔部１ａを形成するとともに、鍔部１ａに隣接して後記するナット部材７との係合用の環状溝１Ａが形成してある。鍔部１ａに隣接してリール脚８を挿入し押さえ付け固定するリール脚挿入部１Ｂが形成されるとともに、リール脚挿入部１Ｂの軸芯を挟んで反対側に肉厚の親指載置部１Ｃが形成されている。
親指載置部１Ｃは、図１に示すように、リールシート３を握る手指の親指が載置される部分となる。
【００２７】
図４（イ）に示すように、親指載置部１Ｃの固定フード２に対向する一端である竿尻側端１ｃはリール脚挿入部１Ｂの固定フード２に対向する開口端である竿尻側端１ｂより竿尻側に向けて突出しており、親指載置部１Ｃからリール脚挿入部１Ｂに掛けての開口縁ｂは、親指載置部１Ｃに対応する部分からリール脚挿入部１Ｂに対応する部分に掛けて、徐々に、突出量を減少させる状態に構成されている。このような構成によって、親指載置部１Ｃをシートベース３の大径状部分３Ｄに十分近接させることができながら、リール脚挿入部１Ｂを固定フード２との必要な間隔に維持することができる。
【００２８】
可動フード１の内周面における左右両側面位置には、互いに軸線Ｘに向けて突出する突条１Ｄ、１Ｄを設けてあり、可動フード１をシートベース３の可動フード取付座３Ａに取り付けた状態で、シートベース３に形成した軸線Ｘに平行なガイド溝３ａ,３ａに係入する。これによって、可動フード１が後記するナット部材７の駆動力によってスライド移動するように構成してある。
【００２９】
図１及び図４（ロ）に示すように、可動フード１をシートベース３の可動フード取付座３Ａに装着した状態で親指載置部１Ｃの竿尻端がシートベース３の大径状部分３Ｄの竿先側端面に当接し、親指載置部１Ｃの外周面と大径状部分３Ｄの外周面とが面一状態で繋がる。
上記したように、リールを釣り竿に取り付け握り操作する場合には、４本指はリール脚８に巻き付けるようにして握り込むが、親指は親指載置部１Ｃに当て付けられる。この場合に、前記したように、親指載置部１Ｃが大径状部分３Ｄに十分に近接する位置まで延出されているので、親指の掌が親指載置部１Ｃと大径状部分３Ｄとの接続部位に掛からないこととなって、釣り竿を保持する際に親指に痛みを感じ難い。
【００３０】
以上のような構成を有する可動フード１は、ポリアミド樹脂（ＰＡ６）を材料として成形されるものであるが、ＰＥＴ等の他のエンジニアリング樹脂を使用してもよい。また、高い強度を必要とする場合には、軽量のアルミニュウム、チタン等が使用できる。
【００３１】
雌ネジ部材７Ａについて説明する。図２、図３及び図６に示すように、雌ネジ部材７Ａは、竿尻端側の大径係合部７ａ、大径係合部７ａの竿先側に中径部７ｂ、更に竿先側に小径部７ｃを設けてある。大径係合部７ａの内周面側には、可動フード１との係合部が設けてあり、この係合部構造は、竿尻端に内向きの突出部７ｄを形成するとともに、突出部７ｄの竿先側に突出部７ｄの内径より大径の凹入部７ｅを形成してある。
【００３２】
図３及び図４に示すように、中径部７ｂの内周面には雌ネジ部７ｆが形成され、雌ネジ部７ｆはシードベース３の雄ネジ部分３Ｂに螺合する仕様で形成されている。一方、図３及び図６に示すように、中径部７ｂ及び小径部７ｃの外周面に、夫々、突条７ｇが設けてある。突条７ｇは、軸線Ｘに平行に形成され、円周方向の８箇所に設けられている。このような突条７ｇの形成によって、摘まみ操作部７Ｂを雌ネジ部材７Ａに外嵌装着した場合に、摘まみ操作部７Ｂの内周面が突条７ｇに圧接されて、両者の連結が強固に行える。
竿尻端側の大径係合部７ａに対しては、補強構造として、口金７ｈが被せてある。また、雌ネジ部材７Ａに外嵌装着して摘まみ操作部７Ｂの竿尻端と口金７ｈとの間には、パッキン材１１が介在され、シール機能等を発揮する構成となっている。
【００３３】
図２及び図５に示すように、雌ネジ部材７Ａと可動フード１とを連結するには、口金７ｈを装着しない状態で、又は、緩やかな嵌合状態で口金７ｈを装着した状態で、雌ネジ部材７Ａの突出部７ｄをやや無理に広げる状態で、可動フード１の竿先端に形成されている鍔部１ａを乗り越えさせて環状溝１Ａに係合するまで押し込むことによって、突出部７ｄが環状溝１Ａに位置するとともに、可動フード１の鍔部１ａが雌ネジ部材７Ａの凹入部７ｅに位置して、雌ネジ部材７Ａの突出部７ｄが可動フード１の鍔部１ａによって抜け出しを阻止する構成となっている。連結後に、口金７ｈの部分をカシメ処理することによって、連結状態を強固なものにできる。
【００３４】
以上のように、雌ネジ部材７Ａの突出部７ｄが可動フード１の環状溝１Ａに位置するとともに、可動フード１の鍔部１ａが雌ネジ部材７Ａの凹入部７ｅに位置する構成によって、雌ネジ部材７Ａが軸線Ｘ周りで回転しても可動フード１は回転せず、かつ、雌ネジ部材７Ａが軸線Ｘ方向に移動すれば、雌ネジ部材７Ａの突出部７ｄが可動フード１の鍔部１ａ等に係合して一体的に移動する。
【００３５】
以上のような構成を有する雌ネジ部材７Ａは、ポリアミド樹脂（ＰＡ６）を材料として成形されるものであるが、ＰＥＴ等の他のエンジニアリング樹脂を使用してもよい。また、高い強度を必要とする場合には、軽量のアルミニュウム、チタン等が使用できる。
【００３６】
図１及び図２に示すように、雌ネジ部材７Ａに外嵌装着する摘まみ操作部７Ｂは、竿尻側に雌ネジ部材７Ａの中径部７ｂに外嵌装着される大径嵌合面７ｊと、竿先側に雌ネジ部材７Ａの小径部７ｃに第１抜け止め部材９の筒状部９Ａを介在させて外嵌装着される小径嵌合面７ｋとを形成している。
【００３７】
以上、４つの部材１、３、７について説明したが、その他の部材の構成は次ぎのようなものである。図１及び図２に示すように、雌ネジ部材７Ａの小径部７ｃの外周面と摘まみ操作部７Ｂの内周面との間に、筒状の第１抜け止め部材９を介在させてある。第１抜け止め部材９は、雌ネジ部材７Ａの小径部７ｃの外周面と摘まみ操作部７Ｂの内周面との間に位置する筒状部９Ａと、摘まみ操作部７Ｂの竿先端に当接する鍔部９Ｂとで構成され、前記したポリアミド樹脂等の樹脂か又はアルミニュウム等の金属で構成される。
【００３８】
第１抜け止め部材９のさらに竿先側には、第２抜け止め部材１０が装着されている。第２抜け止め部材１０は、雌ネジ部材７Ａの小径部７ｃの内周面に接触するとともに、ベースパイプ６の外周面に接触する大径筒状部１０Ａと、その大径筒状部９Ａより竿先側に位置し大径筒状部１０Ａより小径で竿素材５の外周面に外嵌される小径筒状部１０Ｂとで構成されている。
【００３９】
〔別実施形態〕
（１）  他方のフードとして固定フード２を採用する形態を示したが、可動フードに構成してもよい。
（２）  請求項１に記載した、前記可動フードに竿軸芯を挟んで１８０°対角位置にリール脚挿入部と親指載置部とを形成するとともに、前記親指載置部の前記他方のフードに対向する一端を、前記リール脚挿入部の前記他方のフードに対向する開口端より、他方のフード側に突出位置するように構成してある、とする構成について、実施形態においては、リール脚挿入部の開口端から親指載置部の開口端に掛けて徐々に突出量を減少させる構成を提示したが、徐々に減少するものではなく、段階的に減少するもの、或いは、中間位置より急激に減少するように構成してもよい。
（３）  請求項２において、前記可動フードを装着しているシートベースにおけるリール脚載置部とは竿軸芯を挟んで反対側に位置する部分が径方向の外方に突出する膨出部である点を記載しているが、必ずしも、膨出部に形成する必要はなく、竿軸線方向に沿って一定の径を維持するものであってもよい。
（４）  請求項３において、前記親指載置部の外周面と前記膨出部分の外周面とを、前記密着当接する状態で面一状態となるように形成してある点を記載しているが、必ずしも、面一状態である必要はなく、ある程度の段差部を持って形成されていてもよい。
（５）  ナット部材７を二部材で構成しているが、必ずしも、二部材で構成する必要はなく、一部材で構成してもよい。
【図面の簡単な説明】
【００４０】
【図１】リール脚とリールシートとを伴に握った状態で釣り操作を行う状態を示す側面図
【図２】（イ）リールシートのリールシート取付部とは竿軸芯を挟んで半対側に位置する部分を示す平面図、（ロ）リールシートのリールシート取付部を示す平面図
【図３】リールシートの分解側面図
【図４】リールシートの縦断側面図を示し、（イ）は可動フードをシートベースから離間させた状態を示し、（ロ）は可動フードをシートベースに密着させた状態を示す
【図５】（イ）は可動フードを竿尻側から見た状態を示す背面図、（ロ）は固定フード及びシートベースを竿先側から見た状態を示す縦断正面図
【図６】ナット部材を示す縦断正面図
【符号の説明】
【００４１】
１            可動フード
１Ｂ          リール脚挿入部
１Ｃ          親指載置部
２            他方のフード
３            シートベース
３Ａ          可動フード取付座
３Ｆ          リール脚載置部
３Ｇ          膨出部分
７            ナット部材
７Ａ          雌ネジ部材
７Ｂ          摘まみ操作部
【図１】
0004812009.tif 000002
【図２】
0004812009.tif 000003
【図３】
0004812009.tif 000004
【図４】
0004812009.tif 000005
【図５】
0004812009.tif 000006
【図６】
0004812009.tif 000007